(57)【要約】【課題】放電灯用点灯装置の装置コストを可及的に低減する。【解決手段】一次コイル１２側に交流電源１が接続され且つ二次コイル１１側に放電灯３が接続される漏洩変圧器ＴＲと、前記放電灯３の点灯開始用の高電圧パルスを発生する高電圧パルス発生回路ＨＶとが設けられた放電灯用点灯装置において、前記高電圧パルス発生回路は、前記二次コイル１１を巻回する鉄心と同一の鉄心に巻回される三次コイル４と、コンデンサ５と、スイッチ制御回路６の制御により回路を開閉するスイッチ手段ＳＷとが前記交流電源１に対して直列に接続されて構成されている。【選択図】　　　　図１
2004063116.tif 000002
【特許請求の範囲】
【請求項１】
一次コイル側に交流電源が接続され且つ二次コイル側に放電灯が接続される漏洩変圧器と、前記放電灯の点灯開始用の高電圧パルスを発生する高電圧パルス発生回路とが設けられた放電灯用点灯装置であって、
前記高電圧パルス発生回路は、前記二次コイルを巻回する鉄心と同一の鉄心に巻回される三次コイルと、コンデンサと、スイッチ制御回路の制御により回路を開閉するスイッチ手段とが前記交流電源に対して直列に接続されて構成されている放電灯用点灯装置。
【発明の詳細な説明】
【０００１】
【発明の属する技術分野】
本発明は、一次コイル側に交流電源が接続され且つ二次コイル側に放電灯が接続される漏洩変圧器と、前記放電灯の点灯開始用の高電圧パルスを発生する高電圧パルス発生回路とが設けられた放電灯用点灯装置に関する。
【０００２】
【従来の技術】
かかる放電灯用点灯装置は、漏洩変圧器を備えて放電灯に点灯用の電力を供給すると共に、放電灯が的確に点灯開始するように高電圧パルスを発生する高電圧パルス発生回路を備えている。
このような放電灯用点灯装置としては、従来、図３に示すような回路が考えられている。
図３に示す回路では、放電灯３の点灯回路として漏洩変圧器１０１と高電圧パルス発生回路１０２とが備えられ、更に交流電源１側に力率改善用の大容量のコンデンサ２が接続されている。
高電圧パルス発生回路１０２は、パルストランス１０４と、コンデンサ１０５と、トライアックにより構成される半導体スイッチ１０６と、半導体スイッチ１０６の開閉を制御するスイッチ制御回路１０７とが備えられて構成されている。
【０００３】
図３の回路動作を概略的に説明すると、交流電源１から電力が供給されている状態で、スイッチ制御回路１０７がスイッチ装置１０６に対して回路を閉じ操作させると、パルストランス１０４の一次コイル１０４ａ及びコンデンサ１０５の経路で通電が開始され、その結果、パルストランス１０４の一次コイル１０４ａと二次コイル１０４ｂとの巻数比に応じた高いピーク電圧を有する短い周期のパルス電圧が瞬時的に放電灯３に印加される。
このパルス電圧によって放電灯３が点灯し、放電灯３の点灯に伴って放電灯３の両端電圧が低下する。
スイッチ制御回路１０７は、この放電灯３の両端電圧の低下を検出するとスイッチ装置１０６に回路の開き操作を維持させる。
このように、図２の点灯回路では、高電圧パルス発生回路１０２を備えることで、放電灯３を的確に点灯開始させることができる。
【０００４】
【発明が解決しようとする課題】
しかしながら上記従来構成では、比較的高価なパルストランスを必要として、装置コストが上昇してしまうため改善が望まれていた。
本発明は、かかる実情に鑑みてなされたものであって、その目的は、放電灯用点灯装置の装置コストを可及的に低減する点にある。
【０００５】
【課題を解決するための手段】
上記請求項１記載の構成を備えることにより、一次コイル側に交流電源が接続され且つ二次コイル側に放電灯が接続される漏洩変圧器と、前記放電灯の点灯開始用の高電圧パルスを発生する高電圧パルス発生回路とが設けられた放電灯用点灯装置において、前記高電圧パルス発生回路は、前記二次コイルを巻回する鉄心と同一の鉄心に巻回される三次コイルと、コンデンサと、スイッチ制御回路の制御により回路を開閉するスイッチ手段とが前記交流電源に対して直列に接続されて構成されている。
【０００６】
従って、スイッチ制御回路がスイッチ手段に回路の閉じ操作をさせると、漏洩変圧器の三次コイル及びコンデンサに通電が開始され、これによって漏洩変圧器の二次コイルと三次コイルとの巻数比に応じた電圧が二次コイルに誘起され、その電圧が漏洩変圧器の二次コイル側に接続されている放電灯に印加される。
この漏洩変圧器の二次コイルと三次コイルの巻数比を適宜に設定しておくことで、放電灯の点灯開始に必要な高電圧パルスを得ることができる。
すなわち、放電灯の点灯回路に一般的に使用される漏洩変圧器の二次コイルと鉄心とを放電灯の点灯開始のための高電圧パルス発生回路の一部として兼用しているのである。
もって、高電圧パルス発生回路の部品コストを下げることで、放電灯用点灯装置の装置コストを可及的に低減できるに至った。
【０００７】
【発明の実施の形態】
以下、本発明の放電灯用点灯装置の実施の形態を図面に基づいて説明する。
本実施の形態の放電灯用点灯装置は、特に高圧放電灯用の点灯装置であり、具体的な回路を図１に示す。
図１に示す回路では、放電灯３の点灯回路として漏洩変圧器ＴＲと高電圧パルス発生回路ＨＶとが備えられ、更に交流電源１側に力率改善用の大容量のコンデンサ２が接続されている。
漏洩変圧器ＴＲは、一次コイル１２側に交流電源が、二次コイル１１側に放電灯３が接続される。
高電圧パルス発生回路ＨＶは、漏洩変圧器ＴＲの二次コイル１１と同一の鉄心に巻回された三次コイル４と、コンデンサ５と、半導体スイッチにより構成されて回路を開閉するスイッチ手段ＳＷとが交流電源１に対して直列に接続されて構成されると共に、スイッチ手段ＳＷの開閉を制御するスイッチ制御回路６が備えられている。
【０００８】
本実施の形態では、図１に示すように、前記スイッチ手段ＳＷとしてトライアックを例示している。
又、スイッチ制御回路６は、漏洩変圧器ＴＲの二次コイル側の交流電圧と同期をとって、その交流電圧のピーク電圧付近でスイッチ手段ＳＷを「ＯＮ」動作（回路の閉じ操作）させる回路である。但し、放電灯３が点灯してそれの両端電圧が低下したときは、その操作を停止してスイッチ手段ＳＷに「ＯＦＦ」状態（回路の開き状態）を維持させる。
【０００９】
図１の回路動作を概略的に説明すると、放電灯３の非点灯時に、交流電源１から電力が供給されている状態で、スイッチ制御回路６がスイッチ手段ＳＷに対して回路を閉じ操作させると、三次コイル４及びコンデンサ５の経路で通電が開始され、その結果、漏洩変圧器ＴＲの二次コイル１１に、二次コイル１１と三次コイル４との巻数比に応じた高いピーク電圧を有する高電圧パルスが発生する。この高電圧パルスが、交流電源１からの交流電圧によって漏洩変圧器ＴＲの二次コイル側から出力される交流電圧に重畳される状態で、放電灯３に印加される。
この高電圧パルスによって放電灯３が点灯し、放電灯３の点灯に伴って放電灯３の両端電圧が低下する。
スイッチ制御回路６は、この放電灯３の両端電圧の低下に伴ってスイッチ手段ＳＷに対して回路の開き操作を維持させる。
従って、漏洩変圧器ＴＲの鉄心及び二次コイル１１は、高電圧パルス発生回路ＨＶの一部を構成することになる。
【００１０】
図１に示す回路により発生する高電圧パルスの電圧波形を図２に例示する。
図２に符号Ａで示す高電圧パルスは、交流電源１の電圧が２００Ｖ、漏洩変圧器ＴＲの一次コイル１２の巻数が１８２ターン、二次コイル１１の巻数が１４４ターン、三次コイル４の巻数が１６ターン、コンデンサ５の容量が０．３３μＦとした場合を示しており、約６ｋＶのパルス電圧が得られている。
【００１１】
〔別実施形態〕
上記実施の形態では、スイッチ手段ＳＷとしてトライアックを例示しているが、サイリスタ等の他の半導体スイッチでも良いし、リレーにより構成しても良い。
【００１２】
【発明の効果】
上記請求項１記載の構成によれば、放電灯の点灯回路に一般的に使用される漏洩変圧器の二次コイルと鉄心とを放電灯の点灯開始のための高電圧パルス発生回路の一部として兼用して高電圧パルス発生回路の部品コストを下げることで、放電灯用点灯装置の装置コストを可及的に低減できる。
【図面の簡単な説明】
【図１】本発明の実施の形態にかかる放電灯用点灯装置の回路図
【図２】本発明の実施の形態にかかる高電圧パルスの電圧波形
【図３】従来の放電灯用点灯装置の回路図
【符号の説明】
ＨＶ　高電圧パルス発生回路
ＳＷ　スイッチ手段
ＴＲ　漏洩変圧器
１　　交流電源
３　　放電灯
４　　三次コイル
５　　コンデンサ
６　　スイッチ制御回路
１２　一次コイル
１１　二次コイル
【図１】
2004063116.tif 000003
【図２】
2004063116.tif 000004
【図３】
2004063116.tif 000005